【手続補正書】
【提出日】平成16年3月9日(2004.3.9)
【手続補正１】
【補正対象書類名】明細書
【補正対象項目名】特許請求の範囲
【補正方法】変更
【補正の内容】
【特許請求の範囲】
【請求項１】
出力系の色再現領域の方が入力系の色再現領域より狭い場合、当該入力系の色再現領域内であって前記出力系の色再現領域外の色画像情報が入力されたときの色変換方法であって、
表色空間における無彩色軸をＬ軸、当該無彩色軸上の色を補正した軸をLx軸とした場合、
出力表色系の色再現領域外の色画像情報に対応する点を、当該出力表色系のLx軸方向に圧縮する色変換方法。
【請求項２】
請求項１に記載の色変換方法であって、
前記出力表色系の色再現領域外の色画像情報に対応する点を、当該出力表色系のLx軸方向に出力表色系の色再現領域境界面まで直線的に圧縮する色変換方法。
【請求項３】
出力系の色再現領域の方が入力系の色再現領域より狭い場合、当該入力系の色再現領域内であって前記出力系の色再現領域外の色画像情報が入力されたときの色変換方法であって、
表色空間における無彩色軸をＬ軸、当該無彩色軸上の色を補正した軸をLx軸とした場合、
出力系の色再現領域外の色画像情報に対応する点を、
L’＝La−(La−Lp)×α, αは0≦α≦1を満たす実数、
で表される明度値L’を有するLx軸上の点に向かって圧縮する色変換方法。
【請求項４】
出力系の色再現領域の方が入力系の色再現領域より狭い場合、当該入力系の色再現領域内であって前記出力系の色再現領域外の色画像情報が入力されたときの色変換方法であって、
彩度を示す座標軸をＣ軸とした場合、
前記入力された色画像情報に対応する点Ｐ及び明度値Laを有するLx軸上の点Ａを通り、L軸に平行な平面上において、
点Ａを中心として、入力表色系の色再現領域の最大彩度の色に対応する点Ｂを第１の角度回転させた後、点Ａに向かって出力表色系の色再現領域境界面上の点Ｄに圧縮する場合、
点Ｐを第２の角度回転させた後、点Ａに向かって出力表色系の色再現領域境界面上の点Ｑに圧縮する際、直線ＡＢとＣ軸とのなす角、直線ＡＤとＣ軸とのなす角、および直線ＡＰとＣ軸とのなす角に基づき前記第２の回転角度を変更させる色変換方法。
【請求項５】
出力表色系の色再現領域境界からの点Ｐの距離に応じて、前記第２の回転角度を変更させる請求項４に記載の色変換方法。
【請求項６】
前記Lx軸が、ホワイトポイント（100,0,0）、ブラックポイント（0,0,0）および出力表色系における好ましいグレーの色座標値を通る軌跡である請求項１乃至５のいづれか一項に記載の色変換方法。
【請求項７】
前記Lx軸の式は、ホワイトポイント（100,0,0）、ブラックポイント（0,0,0）、出力表色系における好ましいグレーの色座標値に相当する中明度点（50,a0,b0）の３点を通る２次曲線であり、明度値がＬの場合、
a*(L)=(−a0／2500)×L２＋(a0／25)×L
b*(L)=(−b0／2500)×L２＋(b0／25)×L
で算出される点（L, a*(L),
b*(L)）の軌跡である請求項１乃至６のいづれか一項に記載の色変換方法。
【請求項８】
出力系の色再現領域の方が入力系の色再現領域より狭い場合、当該入力系の色再現領域内であって前記出力系の色再現領域外の色画像情報が入力されたときの色変換装置であって、
表色空間における無彩色軸をＬ軸、当該無彩色軸上の色を補正した軸をLx軸と設定する設定手段と、
出力表色系の色再現領域外の色画像情報に対応する点を、当該出力表色系のLx軸方向に圧縮する圧縮手段と、
を備えている色変換装置。
【請求項９】
請求項８に記載の色変換装置であって、
前記圧縮手段が、前記出力表色系の色再現領域外の色画像情報に対応する点を、当該出力表色系のLx軸方向に出力表色系の色再現領域境界面まで直線的に圧縮する、色変換装置。
【請求項１０】
出力系の色再現領域の方が入力系の色再現領域より狭い場合、当該入力系の色再現領域内であって前記出力系の色再現領域外の色画像情報が入力されたときの色変換装置であって、
表色空間における無彩色軸をＬ軸、当該無彩色軸上の色を補正した軸をLx軸と設定する設定手段と、
出力系の色再現領域外の色画像情報に対応する点を、
L’＝La−(La−Lp)×α, αは0≦α≦1を満たす実数、
で表される明度値L’を有するLx軸上の点に向かって圧縮する圧縮手段と、
を備えている色変換装置。
【請求項１１】
出力系の色再現領域の方が入力系の色再現領域より狭い場合、当該入力系の色再現領域内であって前記出力系の色再現領域外の色画像情報が入力されたときの色変換装置であって、
彩度を示す座標軸をＣ軸とした場合、
前記入力された色画像情報に対応する点Ｐ及び明度値Laを有するLx軸上の点Ａを通り、L軸に平行な平面上において、
点Ａを中心として、入力表色系の色再現領域の最大彩度の色に対応する点Ｂを第１の角度回転させた後、点Ａに向かって出力表色系の色再現領域境界面上の点Ｄに圧縮する圧縮手段と、
点Ｐを第２の角度回転させた後、点Ａに向かって出力表色系の色再現領域境界面上の点Ｑに圧縮する際、直線ＡＢとＣ軸とのなす角、直線ＡＤとＣ軸とのなす角、および直線ＡＰとＣ軸とのなす角に基づき前記第２の回転角度を変更させる変更手段と、
を備えている色変換装置。
【請求項１２】
出力表色系の色再現領域境界からの点Ｐの距離に応じて、前記第２の回転角度を変更させる手段を備えている請求項１１に記載の色変換装置。
【請求項１３】
前記Lx軸が、ホワイトポイント（100,0,0）、ブラックポイント（0,0,0）および出力表色系における好ましいグレーの色座標値を通る軌跡である請求項８乃至１２のいづれか一項に記載の色変換装置。
【請求項１４】
前記Lx軸の式は、ホワイトポイント（100,0,0）、ブラックポイント（0,0,0）、出力表色系における好ましいグレーの色座標値に相当する中明度点（50,a0,b0）の３点を通る２次曲線であり、明度値がＬの場合、
a*(L)=(−a0／2500)×L２＋(a0／25)×L
b*(L)=(−b0／2500)×L２＋(b0／25)×L
で算出される点（L, a*(L),
b*(L)）の軌跡である請求項８乃至１３のいづれか一項に記載の色変換装置。
【請求項１５】
出力系の色再現領域の方が入力系の色再現領域より狭い場合、当該入力系の色再現領域内であって前記出力系の色再現領域外の色画像情報が入力されたときの色変換処理をコンピュータに実行させるためのプログラムを記録したコンピュータによって読取可能な記録媒体であって、
表色空間における無彩色軸をＬ軸、当該無彩色軸上の色を補正した軸をLx軸と設定する設定処理と、
出力表色系の色再現領域外の色画像情報に対応する点を、当該出力表色系のLx軸方向に圧縮する圧縮処理と、
をコンピュータに実行させるためのプログラムを記録したコンピュータによって読取可能な記録媒体。
【請求項１６】
請求項１５に記載の記録媒体であって、
前記圧縮処理において、前記出力表色系の色再現領域外の色画像情報に対応する点を、当該出力表色系のLx軸方向に出力表色系の色再現領域境界面まで直線的に圧縮する、記録媒体。
【請求項１７】
出力系の色再現領域の方が入力系の色再現領域より狭い場合、当該入力系の色再現領域内であって前記出力系の色再現領域外の色画像情報が入力されたときの色変換処理をコンピュータに実行させるためのプログラムを記録したコンピュータによって読取可能な記録媒体であって、
表色空間における無彩色軸をＬ軸、当該無彩色軸上の色を補正した軸をLx軸と設定する設定処理と、
出力系の色再現領域外の色画像情報に対応する点を、
L’＝La−(La−Lp)×α, αは0≦α≦1を満たす実数、
で表される明度値L’を有するLx軸上の点に向かって圧縮する圧縮処理と、
をコンピュータに実行させるためのプログラムを記録したコンピュータによって読取可能な記録媒体。
【請求項１８】
出力系の色再現領域の方が入力系の色再現領域より狭い場合、当該入力系の色再現領域内であって前記出力系の色再現領域外の色画像情報が入力されたときの色変換処理をコンピュータに実行させるためのプログラムを記録したコンピュータによって読取可能な記録媒体であって、
彩度を示す座標軸をＣ軸とした場合、
前記入力された色画像情報に対応する点Ｐ及び明度値Laを有するLx軸上の点Ａを通り、L軸に平行な平面上において、
点Ａを中心として、入力表色系の色再現領域の最大彩度の色に対応する点Ｂを第１の角度回転させた後、点Ａに向かって出力表色系の色再現領域境界面上の点Ｄに圧縮する圧縮処理と、
点Ｐを第２の角度回転させた後、点Ａに向かって出力表色系の色再現領域境界面上の点Ｑに圧縮する際、直線ＡＢとＣ軸とのなす角、直線ＡＤとＣ軸とのなす角、および直線ＡＰとＣ軸とのなす角に基づき前記第２の回転角度を変更させる変更処理と、
をコンピュータに実行させるためのプログラムを記録したコンピュータによって読取可能な記録媒体。
【請求項１９】
出力表色系の色再現領域境界からの点Ｐの距離に応じて、前記第２の回転角度を変更させる処理を備えている請求項１８に記載の記録媒体。
【請求項２０】
前記Lx軸が、ホワイトポイント（100,0,0）、ブラックポイント（0,0,0）および出力表色系における好ましいグレーの色座標値を通る軌跡である請求項１５乃至１９のいづれか一項に記載の記録媒体。
【請求項２１】
前記Lx軸の式は、ホワイトポイント（100,0,0）、ブラックポイント（0,0,0）、出力表色系における好ましいグレーの色座標値に相当する中明度点（50,a0,b0）の３点を通る２次曲線であり、明度値がＬの場合、
a*(L)=(−a0／2500)×L２＋(a0／25)×L
b*(L)=(−b0／2500)×L２＋(b0／25)×L
で算出される点（L, a*(L),
b*(L)）の軌跡である請求項１５乃至２０のいづれか一項に記載の記録媒体。
【手続補正２】
【補正対象書類名】明細書
【補正対象項目名】０００９
【補正方法】変更
【補正の内容】
【０００９】
【課題を解決するための手段】
上記課題に鑑み、請求項１に記載の発明は、出力系の色再現領域の方が入力系の色再現領域より狭い場合、当該入力系の色再現領域内であって前記出力系の色再現領域外の色画像情報が入力されたときの色変換方法であって、表色空間における無彩色軸をＬ軸、当該無彩色軸上の色を補正した軸をLx軸とした場合、出力表色系の色再現領域外の色画像情報に対応する点を、当該出力表色系のLx軸方向に圧縮するように構成される。


【手続補正３】
【補正対象書類名】明細書
【補正対象項目名】００１０
【補正方法】変更
【補正の内容】
【００１０】
以上のように構成された出力系の色再現領域の方が入力系の色再現領域より狭い場合、当該入力系の色再現領域内であって前記出力系の色再現領域外の色画像情報が入力されたときの色変換方法によれば、まず表色空間における無彩色軸をＬ軸、当該無彩色軸上の色を補正した軸をLx軸と設定する。そして、出力表色系の色再現領域外の色画像情報に対応する点が、当該出力表色系のLx軸方向に圧縮される。
また、請求項２に記載の発明は、請求項１に記載の色変換方法であって、前記出力表色系の色再現領域外の色画像情報に対応する点を、当該出力表色系のLx軸方向に出力表色系の色再現領域境界面まで直線的に圧縮するように構成される。
【手続補正４】
【補正対象書類名】明細書
【補正対象項目名】００１１
【補正方法】変更
【補正の内容】
【００１１】
上記課題に鑑み、請求項３に記載の発明は、出力系の色再現領域の方が入力系の色再現領域より狭い場合、当該入力系の色再現領域内であって前記出力系の色再現領域外の色画像情報が入力されたときの色変換方法によれば、まず、表色空間における無彩色軸をＬ軸、当該無彩色軸上の色を補正した軸をLx軸と設定する。そして、出力系の色再現領域外の色画像情報に対応する点を、
L’＝La−(La−Lp)×α（αは0≦α≦1を満たす実数）で表される明度値L’を有するLx軸上の点に向かって圧縮するように構成される。


【手続補正５】
【補正対象書類名】明細書
【補正対象項目名】００１３
【補正方法】変更
【補正の内容】
【００１３】
上記課題に鑑み、請求項４に記載の発明は、出力系の色再現領域の方が入力系の色再現領域より狭い場合、当該入力系の色再現領域内であって前記出力系の色再現領域外の色画像情報が入力されたときの色変換方法であって、彩度を示す座標軸をＣ軸とした場合、前記入力された色画像情報に対応する点Ｐ及び明度値Laを有するLx軸上の点Ａを通り、L軸に平行な平面上において、点Ａを中心として、入力表色系の色再現領域の最大彩度の色に対応する点Ｂを第１の角度回転させた後、点Ａに向かって出力表色系の色再現領域境界面上の点Ｄに圧縮する場合、点Ｐを第２の角度回転させた後、点Ａに向かって出力表色系の色再現領域境界面上の点Ｑに圧縮する際、直線ＡＢとＣ軸とのなす角、直線ＡＤとＣ軸とのなす角、および直線ＡＰとＣ軸とのなす角に基づき前記第２の回転角度を変更させるように構成される。


【手続補正６】
【補正対象書類名】明細書
【補正対象項目名】００１５
【補正方法】変更
【補正の内容】
【００１５】
また、請求項５に記載の発明は、請求項４に記載の色変換方法であって、出力表色系の色再現領域境界からの点Ｐの距離に応じて、前記第２の回転角度を変更させるように構成される。


【手続補正７】
【補正対象書類名】明細書
【補正対象項目名】００１６
【補正方法】変更
【補正の内容】
【００１６】
さらに、請求項６に記載の発明は、請求項１乃至５のいづれか一項に記載の色変換方法であって、前記Lx軸が、ホワイトポイント（100,0,0）、ブラックポイント（0,0,0）および出力表色系における好ましいグレーの色座標値を通る軌跡となるように構成される。


【手続補正８】
【補正対象書類名】明細書
【補正対象項目名】００１７
【補正方法】変更
【補正の内容】
【００１７】
また、請求項７に記載の発明は、請求項１乃至６のいづれか一項に記載の色変換方法であって、前記Lx軸の式は、ホワイトポイント（100,0,0）、ブラックポイント（0,0,0）、出力表色系における好ましいグレーの色座標値に相当する中明度点（50,a0,b0）の３点を通る２次曲線であり、明度値がＬの場合、
a*(L)=(−a0／2500)×L２＋(a0／25)×L
b*(L)=(−b0／2500)×L２＋(b0／25)×L
で算出される点（L, a*(L),
b*(L)）の軌跡となるように構成される。


【手続補正９】
【補正対象書類名】明細書
【補正対象項目名】００１８
【補正方法】変更
【補正の内容】
【００１８】
上記課題に鑑み、請求項８に記載の発明は、出力系の色再現領域の方が入力系の色再現領域より狭い場合、当該入力系の色再現領域内であって前記出力系の色再現領域外の色画像情報が入力されたときの色変換装置であって、表色空間における無彩色軸をＬ軸、当該無彩色軸上の色を補正した軸をLx軸と設定する設定手段と、出力表色系の色再現領域外の色画像情報に対応する点を、当該出力表色系のLx軸方向に圧縮する圧縮手段と、を備えて構成される。


【手続補正１０】
【補正対象書類名】明細書
【補正対象項目名】００１９
【補正方法】変更
【補正の内容】
【００１９】
以上のように構成された出力系の色再現領域の方が入力系の色再現領域より狭い場合、当該入力系の色再現領域内であって前記出力系の色再現領域外の色画像情報が入力されたときの色変換装置によれば、まず、設定手段によって、表色空間における無彩色軸がＬ軸、当該無彩色軸上の色を補正した軸がLx軸に設定される。そして、圧縮手段によって、出力表色系の色再現領域外の色画像情報に対応する点が、当該出力表色系のLx軸方向に圧縮される。
また、請求項９に記載の発明は、請求項８に記載の色変換装置であって、前記圧縮手段が、前記出力表色系の色再現領域外の色画像情報に対応する点を、当該出力表色系のLx軸方向に出力表色系の色再現領域境界面まで直線的に圧縮するように構成される。
【手続補正１１】
【補正対象書類名】明細書
【補正対象項目名】００２０
【補正方法】変更
【補正の内容】
【００２０】
上記課題に鑑み、請求項１０に記載の発明は、出力系の色再現領域の方が入力系の色再現領域より狭い場合、当該入力系の色再現領域内であって前記出力系の色再現領域外の色画像情報が入力されたときの色変換装置であって、表色空間における無彩色軸をＬ軸、当該無彩色軸上の色を補正した軸をLx軸と設定する設定手段と、出力系の色再現領域外の色画像情報に対応する点を、
L’＝La−(La−Lp)×α（αは0≦α≦1を満たす実数）
で表される明度値L’を有するLx軸上の点に向かって圧縮する圧縮手段と、を備えて構成される。


【手続補正１２】
【補正対象書類名】明細書
【補正対象項目名】００２２
【補正方法】変更
【補正の内容】
【００２２】
上記課題に鑑み、請求項１１に記載の発明は、出力系の色再現領域の方が入力系の色再現領域より狭い場合、当該入力系の色再現領域内であって前記出力系の色再現領域外の色画像情報が入力されたときの色変換装置であって、彩度を示す座標軸をＣ軸とした場合、前記入力された色画像情報に対応する点Ｐ及び明度値Laを有するLx軸上の点Ａを通り、L軸に平行な平面上において、点Ａを中心として、入力表色系の色再現領域の最大彩度の色に対応する点Ｂを第１の角度回転させた後、点Ａに向かって出力表色系の色再現領域境界面上の点Ｄに圧縮する圧縮手段と、点Ｐを第２の角度回転させた後、点Ａに向かって出力表色系の色再現領域境界面上の点Ｑに圧縮する際、直線ＡＢとＣ軸とのなす角、直線ＡＤとＣ軸とのなす角、および直線ＡＰとＣ軸とのなす角に基づき前記第２の回転角度を変更させる変更手段と、を備えて構成される。


【手続補正１３】
【補正対象書類名】明細書
【補正対象項目名】００２４
【補正方法】変更
【補正の内容】
【００２４】
また、請求項１２に記載の発明は、請求項１１に記載の色変換装置であって、出力表色系の色再現領域境界からの点Ｐの距離に応じて、前記第２の回転角度を変更させる手段を備えて構成される。


【手続補正１４】
【補正対象書類名】明細書
【補正対象項目名】００２５
【補正方法】変更
【補正の内容】
【００２５】
さらに、請求項１３に記載の発明は、請求項８乃至１２のいづれか一項に記載の色変換装置であって、前記Lx軸が、ホワイトポイント（100,0,0）、ブラックポイント（0,0,0）および出力表色系における好ましいグレーの色座標値を通る軌跡となるように構成される。


【手続補正１５】
【補正対象書類名】明細書
【補正対象項目名】００２６
【補正方法】変更
【補正の内容】
【００２６】
また、請求項１４に記載の発明は、請求項８乃至１３のいづれか一項に記載の色変換装置であって、前記Lx軸の式は、ホワイトポイント（100,0,0）、ブラックポイント（0,0,0）、出力表色系における好ましいグレーの色座標値に相当する中明度点（50,a0,b0）の３点を通る２次曲線であり、明度値がＬの場合、
a*(L)=(−a0／2500)×L２＋(a0／25)×L
b*(L)=(−b0／2500)×L２＋(b0／25)×L
で算出される点（L, a*(L),
b*(L)）の軌跡となるように構成される。


【手続補正１６】
【補正対象書類名】明細書
【補正対象項目名】００２７
【補正方法】変更
【補正の内容】
【００２７】
上記課題に鑑み、請求項１５に記載の発明は、出力系の色再現領域の方が入力系の色再現領域より狭い場合、当該入力系の色再現領域内であって前記出力系の色再現領域外の色画像情報が入力されたときの色変換処理をコンピュータに実行させるためのプログラムを記録したコンピュータによって読取可能な記録媒体であって、表色空間における無彩色軸をＬ軸、当該無彩色軸上の色を補正した軸をLx軸と設定する設定処理と、出力表色系の色再現領域外の色画像情報に対応する点を、当該出力表色系のLx軸方向に圧縮する圧縮処理と、をコンピュータに実行させるためのプログラムを記録してコンピュータによって読取可能に構成される。


【手続補正１７】
【補正対象書類名】明細書
【補正対象項目名】００２８
【補正方法】変更
【補正の内容】
【００２８】
以上のように構成されたコンピュータによって読取可能な記録媒体には、出力系の色再現領域の方が入力系の色再現領域より狭い場合、当該入力系の色再現領域内であって前記出力系の色再現領域外の色画像情報が入力されたときの色変換処理をコンピュータに実行させるためのプログラムが記録されている。まず、設定処理によって、表色空間における無彩色軸がＬ軸、当該無彩色軸上の色を補正した軸がLx軸に設定され、圧縮処理によって、出力表色系の色再現領域外の色画像情報に対応する点が、当該出力表色系のLx軸方向に圧縮される。
また、請求項１６に記載の発明は、請求項１５に記載の記録媒体であって、前記圧縮処理において、前記出力表色系の色再現領域外の色画像情報に対応する点を、当該出力表色系のLx軸方向に出力表色系の色再現領域境界面まで直線的に圧縮するように構成される。
【手続補正１８】
【補正対象書類名】明細書
【補正対象項目名】００２９
【補正方法】変更
【補正の内容】
【００２９】
上記課題に鑑み、請求項１７に記載の発明は、出力系の色再現領域の方が入力系の色再現領域より狭い場合、当該入力系の色再現領域内であって前記出力系の色再現領域外の色画像情報が入力されたときの色変換処理をコンピュータに実行させるためのプログラムを記録したコンピュータによって読取可能な記録媒体であって、表色空間における無彩色軸をＬ軸、当該無彩色軸上の色を補正した軸をLx軸と設定する設定処理と、出力系の色再現領域外の色画像情報に対応する点を、
L’＝La−(La−Lp)×α（αは0≦α≦1を満たす実数）で表される明度値L’を有するLx軸上の点に向かって圧縮する圧縮処理と、をコンピュータに実行させるためのプログラムを記録してコンピュータによって読取可能に構成される。


【手続補正１９】
【補正対象書類名】明細書
【補正対象項目名】００３１
【補正方法】変更
【補正の内容】
【００３１】
上記課題に鑑み、請求項１８に記載の発明は、出力系の色再現領域の方が入力系の色再現領域より狭い場合、当該入力系の色再現領域内であって前記出力系の色再現領域外の色画像情報が入力されたときの色変換処理をコンピュータに実行させるためのプログラムを記録したコンピュータによって読取可能な記録媒体であって、彩度を示す座標軸をＣ軸とした場合、前記入力された色画像情報に対応する点Ｐ及び明度値Laを有するLx軸上の点Ａを通り、L軸に平行な平面上において、点Ａを中心として、入力表色系の色再現領域の最大彩度の色に対応する点Ｂを第１の角度回転させた後、点Ａに向かって出力表色系の色再現領域境界面上の点Ｄに圧縮する圧縮処理と、点Ｐを第２の角度回転させた後、点Ａに向かって出力表色系の色再現領域境界面上の点Ｑに圧縮する際、直線ＡＢとＣ軸とのなす角、直線ＡＤとＣ軸とのなす角、および直線ＡＰとＣ軸とのなす角に基づき前記第２の回転角度を変更させる変更処理と、をコンピュータに実行させるためのプログラムを記録してコンピュータによって読取可能に構成される。


【手続補正２０】
【補正対象書類名】明細書
【補正対象項目名】００３３
【補正方法】変更
【補正の内容】
【００３３】
また、請求項１９に記載の発明は、請求項１８に記載の記録媒体であって、出力表色系の色再現領域境界からの点Ｐの距離に応じて、前記第２の回転角度を変更させる処理を備えて構成される。


【手続補正２１】
【補正対象書類名】明細書
【補正対象項目名】００３４
【補正方法】変更
【補正の内容】
【００３４】
さらに、請求項２０に記載の発明は、請求項１５乃至１９のいづれか一項に記載の記録媒体であって、前記Lx軸が、ホワイトポイント（100,0,0）、ブラックポイント（0,0,0）および出力表色系における好ましいグレーの色座標値を通る軌跡となるように構成される。


【手続補正２２】
【補正対象書類名】明細書
【補正対象項目名】００３５
【補正方法】変更
【補正の内容】
【００３５】
また、請求項２１に記載の発明は、請求項１５乃至２０のいづれか一項に記載の記録媒体であって、前記Lx軸の式は、ホワイトポイント（100,0,0）、ブラックポイント（0,0,0）、出力表色系における好ましいグレーの色座標値に相当する中明度点（50,a0,b0）の３点を通る２次曲線であり、明度値がＬの場合、
a*(L)=(−a0／2500)×L２＋(a0／25)×L
b*(L)=(−b0／2500)×L２＋(b0／25)×L
で算出される点（L, a*(L),
b*(L)）の軌跡となるように構成される。